(57)【要約】【課題】防腐及び防蟻性を図った下地材に対して金属材料を有する板状建材を固定する場合において、優れた耐久性と、容易かつ安価な施工性とを実現可能とする。【解決手段】保存処理薬剤を有する木質材料からなる支柱１０に、金属材料を有する複数枚の金属サンドイッチパネル２０を平面状に固定する。支柱１０と金属サンドイッチパネル２０との間に保存処理薬剤によって劣化しない接着剤３０を設ける。【選択図】図１
2005248560.tif 000002
【特許請求の範囲】
【請求項１】
下地材に平面状に固定された複数枚の板状建材を備えた板状建材施工構造において、
前記下地材は保存処理薬剤を有する木質材料からなり、前記板状建材は金属材料を有し、該下地材と各該板状建材との間には、該保存処理薬剤によって劣化しない接着剤が設けられていることを特徴とする板状建材施工構造。
【請求項２】
前記下地材と各前記板状建材とはビスによっても固定されていることを特徴とする請求項１記載の板状建材施工構造。
【請求項３】
前記板状建材は、表面を構成する金属製の第１板材と、裏面を構成する金属製の第２板材と、該第１板材と該第２板材との間に一体に設けられた断熱材とを有する金属サンドイッチパネルであることを特徴とする請求項１又は２記載の板状建材施工構造。
【請求項４】
保存処理薬剤を有する下地材の表面及び金属材料を有する板状建材の裏面の少なくとも一方に該保存処理薬剤によって劣化しない接着剤を塗布する第１工程と、
該下地材に該接着剤を介して複数枚の該板状建材を平面状に固定する第２工程とを備えていることを特徴とする板状建材の施工方法。
【請求項５】
前記第２工程では、前記下地材と各前記板状建材とをビスによっても固定することを特徴とする請求項４記載の板状建材の施工方法。
【請求項６】
前記板状建材は、表面を構成する金属製の第１板材と、裏面を構成する金属製の第２板材と、該第１板材と該第２板材との間に一体に設けられた断熱材とを有する金属サンドイッチパネルであることを特徴とする請求項４又は５記載の板状建材の施工方法。
【発明の詳細な説明】
【技術分野】
【０００１】
本発明は板状建材施工構造及び板状建材の施工方法に関する。
【背景技術】
【０００２】
従来、支柱等の下地材に複数枚のサイディングボード等の板状建材を平面状に固定してなる外壁等の板状建材施工構造は公知である（特許文献１、２）。特許文献１は、ビス、釘等の固定具によって下地材に天井板や壁板を固定する施工方法と、固定具及び接着剤によって下地材に天井板等を固定する施工方法とを従来の技術として開示している。また、特許文献２は、アクリル系接着剤を使って下地材にボードを貼り付ける施工方法を開示している。これらの施工方法によって天井、壁等の板状建材施工構造が得られる。
【０００３】
【特許文献１】実公昭５８−５３３８３号公報
【特許文献２】特開２００３−５６１５５号公報
【発明の開示】
【発明が解決しようとする課題】
【０００４】
しかし、下地材が木質材料からなる場合、下地材には、腐朽菌による腐れ及び／又はシロアリ等の害虫による食害等を防ぐため、防腐剤、防カビ剤又は防蟻剤等の保存処理薬剤が塗布又は注入されていることが多い。構造用製材等のＪＡＳ規格では、防腐効果とともに防蟻効果も有する保存処理薬剤として、クレオソート油、クロム・銅・ヒ素化合物系、アルキルアンモニウム化合物系、銅・アルキルアンモニウム化合物系、ナフテン酸銅系及びナフテン酸亜鉛の６種類が規定されている。
【０００５】
上記板状建材施工構造において、下地材がこのような保存処理薬剤を有する木質材料からなる場合、板状建材が金属材料を有するのであれば、板状建材が下地材と接触する部分に保存処理薬剤に含まれる酸による腐食が生じてしまう。このため、その板状建材施工構造の耐久性が著しく損なわれてしまう。これを補うため、金属材料に耐腐食性のある金属を用いることとすれば、板状建材の材料費が嵩み、施工コストの高騰を招いてしまう。
【０００６】
このため、金属材料を有する板状建材に対し、その下地材と接触する側の表面に予め又は施工時に保護用のフィルムを介在させる方法も採られ得る。こうして施工した板状建材施工構造においては、下地材と板状建材とが直接接触することをフィルムが妨げ、板状建材が保存処理薬剤によって腐食することが防止される。このため、こうした板状建材施工構造は耐久性が向上することとなる。
【０００７】
しかしながら、下地材と板状建材との間にフィルムを介在させる方法を採用する場合、板状建材の表面に予めフィルムを貼着するのであれば、フィルムの貼設時には板状建材と下地材との接触部分が特定されていないため、板状建材の全面にフィルムを貼設する必要を生じてしまう。そして、その板状建材を下地材に固定した場合には、下地材と接触する部分以外のフィルムが無駄になってしまう。このため、この方法は、貼設の手間、費用及びフィルムの材料費が十分生かされているとは言い難く、費用対効果が低い。また、下地材と板状建材との間にフィルムを介在させながら板状建材を固定することは面倒である。
【０００８】
本発明は、上記従来の実情に鑑みてなされたものであって、防腐及び防蟻性を図った下地材に対して金属材料を有する板状建材を固定する場合において、優れた耐久性と、容易かつ安価な施工性とを実現可能とすることを解決すべき課題としている。
【課題を解決するための手段】
【０００９】
本発明の板状建材施工構造は、下地材に平面状に固定された複数枚の板状建材を備えた板状建材施工構造において、
前記下地材は保存処理薬剤を有する木質材料からなり、前記板状建材は金属材料を有し、該下地材と各該板状建材との間には、該保存処理薬剤によって劣化しない接着剤が設けられていることを特徴とする。
【００１０】
本発明の板状建材施工構造では、接着剤が下地材と板状建材とを接着する。本発明に係る接着剤は保存処理薬剤によって劣化しないものであることから、下地材が防腐及び防蟻性のために保存処理薬剤を有する木質材料からなり、板状建材が金属材料を有するとしても、下地材と板状建材とが直接接触することを接着剤が妨げ、板状建材が保存処理薬剤によって腐食することが防止される。このため、板状建材施工構造は耐久性が向上することとなる。
【００１１】
また、この板状建材施工構造では、板状建材の施工現場において必要な箇所に必要な量だけ接着剤を施すことにより、下地材と板状建材とを接着できることから、接着剤を有効に使用することができる。また、シート状のフィルムを施工時に同時に下地材と板状建材との間に介在させるよりも、それらの間に接着剤を塗布することの方が手間を要しない。このため、容易かつ安価な施工が可能である。また、下地材と板状建材を接着剤で固定することにより、高密着性が得られるため、水、空気等の進入又は漏洩を防ぐことができる。
【００１２】
したがって、本発明の板状建材施工構造では、防腐及び防蟻性を図った下地材に対して金属材料を有する板状建材を固定する場合において、優れた耐久性と、容易かつ安価な施工性とを実現することができる。
【００１３】
また、この施工構造では、下地材が躯体柱である場合、その躯体柱と板状建材とが接着剤によって接着されることから、ビスによる固定だけでは困難であった壁倍率を得ることができる。ここで、壁倍率とは、耐力壁が基準の耐力壁に対して同じ長さ当たりで何倍の耐力があるかを示す数値である（建築基準法第４６条）。
【００１４】
保存処理薬剤によって劣化しない接着剤としては、ウレタン系、エポキシ系、アクリル系、変性シリコーン系等の接着剤が採用可能である。なお、下地材としては、支柱、間柱等を採用することができる。
【００１５】
本発明の板状建材施工構造では、比較的軽量な板状建材を用いる場合等、ビス等の固定具を用いなくても接着剤だけで下地材と板状建材とを固定することもできる。この場合、固定具によってそれらを固定する手間が省け、さらにコストの削減が可能である。
【００１６】
下地材と各板状建材とはビスによっても固定されていることが好ましい。この場合、ビスによって接着剤の接着力を補うことができるため、板状建材施工構造の剛性も上げることができる。
【００１７】
板状建材としては、金属製の一枚の板材からなるものの他、表面を構成する金属製の第１板材と、裏面を構成する金属製の第２板材と、第１板材と第２板材との間に一体に設けられた断熱材とを有する金属サンドイッチパネル等を採用することができる。板状建材として、このような金属サンドイッチパネルを採用するのであれば、外断熱が可能な壁面を容易に施工することができる。
【００１８】
また、金属材料を有する板状建材が金属サンドイッチパネルである場合、仮に下地材の保存処理薬剤が第１板材又は第２板材に直接接触するとすれば、第１板材又は第２板材に腐食が起こり、断熱材が剥き出しになって断熱効果の低下を招くおそれがある。これに対し、本発明の板状建材施工構造では、下地材と金属サンドイッチパネルとの間に保存処理薬剤によって劣化しない接着剤が設けられていることから、金属サンドイッチパネルの第１板材又は第２板材の腐食が防止され、断熱効果を好適に維持することができる。
【００１９】
本発明の板状建材の施工方法は、保存処理薬剤を有する下地材の表面及び金属材料を有する板状建材の裏面の少なくとも一方に該保存処理薬剤によって劣化しない接着剤を塗布する第１工程と、
該下地材に該接着剤を介して複数枚の該板状建材を平面状に固定する第２工程とを備えていることを特徴とする。
【００２０】
この施工方法により、本発明の板状建材施工構造が得られる。
【００２１】
第２工程では、下地材と各板状建材とをビスによっても固定することが好ましい。これにより剛性の高い板状建材施工構造が得られる。また、板状建材の重量が重い場合に接着剤の固定力を補うことができる。
【発明を実施するための最良の形態】
【００２２】
以下、本発明の板状建材施工構造を外壁に具体化した実施例を図面を参照しつつ説明する。
【００２３】
まず、外壁を施工しようとする躯体が用意されている。図１に示すように、この躯体の垂直に立った支柱１０は、防腐効果とともに防蟻効果も有する保存処理薬剤が加圧注入された木質材料からなる。この支柱１０は特に表面付近に多く保存処理薬剤を有している。また、この保存処理薬剤によって劣化しない接着剤３０と、板状建材としての複数枚の金属サンドイッチパネル２０とを用意する。
【００２４】
接着剤３０はウレタン系のものである。
【００２５】
金属サンドイッチパネル２０は、表面を構成する金属製の第１板材２１と、裏面を構成する金属製の第２板材２２と、第１板材２１と第２板材２２との間に一体に設けられた断熱材２３とを有している。
【００２６】
そして、第１工程として、支柱１０の金属サンドイッチパネル２０が固定される側の面だけに接着剤３０を必要な量だけ塗布する。このとき、金属サンドイッチパネル２０の第１板材２１の表面だけに接着剤３０を塗布してもよい。また、支柱１０の表面及び金属サンドイッチパネル２０の第１板材２１の表面の両方に接着剤３０を塗布してもよい。なお、金属サンドイッチパネル２０の表裏を逆にし、第２板材２２を支柱１０側にしてもよい。
【００２７】
次に、第２工程として、下地材１０に金属サンドイッチパネル２０を接着剤３０を介して平面状に固定する。この後、図２に示すように、さらに金属サンドイッチパネル２０の第２板材２２の表面側から下地材１０に対してビス４０をねじ込み、下地材１０に金属サンドイッチパネル２０を固定する。なお、この後、金属サンドイッチパネル２０の表面側に仕上げ用接着剤５０を塗布し、仕上げ用接着剤５０上にタイル５１を貼る。これにより、外断熱が可能な外壁が容易に得られる。
【００２８】
この外壁は、支柱１０に平面状に固定された金属サンドイッチパネル２０を備えている。そして、支柱１０と金属サンドイッチパネル２０との間には保存処理薬剤によって劣化しない接着剤３０が設けられている。
【００２９】
以上のように構成された外壁では、接着剤３０が支柱１０と金属サンドイッチパネル２０とを接着する。接着剤３０は保存処理薬剤によって劣化しないものであることから、支柱１０が防腐及び防蟻性のために保存処理薬剤を有する木質材料からなり、金属サンドイッチパネル２０が金属製の第１板材２１を有するとしても、支柱１０と金属サンドイッチパネル２０とが直接接触することを接着剤３０が妨げ、金属サンドイッチパネル２０が保存処理薬剤によって腐食することが防止される。このため、外壁は耐久性が向上することとなる。
【００３０】
また、この外壁では、金属サンドイッチパネル２０の施工現場において必要な箇所に必要な量だけ接着剤３０を施すことにより、支柱１０と金属サンドイッチパネル２０とを接着できることから、接着剤３０を有効に使用することができる。また、従来のようにシート状のフィルムを施工時に同時に支柱１０と金属サンドイッチパネル２０との間に介在させるよりも、それらの間に接着剤３０を塗布することの方が手間を要しない。このため、容易かつ安価な施工が可能である。また、支柱１０と金属サンドイッチパネル２０を接着剤３０で固定することにより、高密着性が得られるため、水、空気等の進入又は漏洩を防ぐことができる。
【００３１】
したがって、実施例の外壁では、防腐及び防蟻性を図った支柱１０に対して金属サンドイッチパネル２０を固定する場合において、優れた耐久性と、容易かつ安価な施工性とを実現することができる。
【００３２】
また、この外壁は、支柱１０と各金属サンドイッチパネル２０とをビス４０によっても固定しているため、ビス４０が接着剤３０の接着力を補うことができ、その剛性も上がっている。具体的には、ビス４０だけで金属サンドイッチパネル２０を固定した外壁は壁倍率が１．５程度であったのに対し、ビス４０及び接着剤３０により金属サンドイッチパネル２０を固定した外壁は壁倍率が２．５以上であった。
【００３３】
さらに、この外壁では、支柱１０と金属サンドイッチパネル２０との間に保存処理薬剤によって劣化しない接着剤３０が設けられていることから、金属サンドイッチパネル２０の第１板材２１の腐食が防止され、断熱効果を好適に維持することができる。
【産業上の利用可能性】
【００３４】
本発明は、建築物の外壁、内壁、床又は天井の施工に利用可能である。
【図面の簡単な説明】
【００３５】
【図１】実施例に係る外壁の施工前の断面図である。
【図２】実施例に係る外壁の一部破断斜視図である。
【符号の説明】
【００３６】
１０…支柱（下地材）
２０…金属サンドイッチパネル（板状建材）
３０…接着剤
４０…ビス
２１…第１板材
２２…第２板材
２３…断熱材
【図１】
2005248560.tif 000003
【図２】
2005248560.tif 000004